(57)【要約】      （修正有）【課題】下地鋼板構造物表面に非接触にて電磁石を装着することにより更なる強力な磁力の作用により安定した作業が行える鋼板構造物の電磁石付き塗膜剥離装置を提供する。【解決手段】塗膜を施された鋼板構造物の塗膜剥離を行う塗膜剥離装置において、ベース１の下に電磁石６を鋼板構造物塗装面から非接触にて取り付け、ベース１には、塗装面に接して車輪４が取り付けられ、車輪４はモーター２と連結されている。【選択図】図２
0003213178.tif 000002
【実用新案登録請求の範囲】
【請求項１】
表面に塗装された鋼板構造物との間で非接触にて電磁石の磁力によって吸着力を保持し、しかも移動しながら塗膜剥離することを特徴とする電磁石付き塗膜剥離装置
【考案の詳細な説明】
【考案の詳細な説明】
【産業上の利用分野】
【０００１】本考案は、船舶・艦船その他鋼板構造物塗装面の塗膜剥装置に関する
【背景技術】
【０００２】今までの塗膜剥離装置は通常バキュームを利用して塗装された鋼板構造物表面との間で発生する吸着力を利用し下地との間で発生する吸着力による保持力にて船腹面、底面などの部分の塗膜剥離時に落下防止が起こりにくい塗膜剥離機が使われていた。
また、更に吸着力を強めるために下地表面を移動する当該装置の走行車輪そのものが永久磁石で出来ている塗膜剥離装置や更には非接触の永久磁石を装置に装着した塗膜剥離装置が使われていた。
バキュームによる吸着に加え、これらの永久磁石の装着をしても塗膜剥離装置の自重が極端に重くなり、下地への吸着力、保持力の効果は限定的で、塗膜剥離装置の落下等の起こりやすくなって操業上の問題があった。
【考案が解決しようとする課題】
【０００３】従来下地面との保持力を増すために永久磁石が使われていたのを、最近その性能の向上が目覚ましい電磁石を非接触で使用することにより従来の問題点を解決した。
【課題を解決するための手段】
【０００４】（１）上記の目的を達成するための本考案の構成を、実施例に対応する当該申請の平面図である図１を用いて説明すると、ベース（１）の下に、当該電磁石（６）を複数個下地面の鋼板構造物表面よりわずか慣れて非接触にて取り付ける。ベース（１）には下地面に接して４個の走行にための車輪（４）が両側に１対づつ取り付けられ、いずれも２台のモーター（２）よりチェーンとスプロケット（３）にて連結されている。  尚、車輪（４）は４個の車輪塾受（５）によりベース（１）の下部に取り付けられている。
尚、電磁石（６）には通電のためのケーブルが接続される
この電磁石は形状、タイプ及び個数及び取り付け場所など本図面に表されているものに限られるわけではない。
（２）ベース（１）の上部には、通常本申請の塗膜除去装置はウオータージェットが使用されるため、スイーベル（８）、その入り口に高圧ホース取り付け口（１３）が付き、さらの真空圧調整用のバキュームブレーカー（１２）、更にバキューム吸引口（７）が取り付けられる。
（３）ベース（１）の下部には当該申請の立面図に相当する図２及び図１ＸＹ断面図３で示した円筒を輪切りにした下面が開口しているカップ状のケーシング（９）が取り付けられており、その外側には図１に点線で示したバキュームパッド（１０）がその周りをバキュームパッド取り付けバンド（１１）により締め付けて装着され、下面端部が鋼板構造物表面に極近い位置に来るように取り付けられている。
このバキュームパッド（１０）はわずかに上下できるようにバキュームパッド取り付けバンド（１１）の下の部分が蛇腹構造になっている。
（４）更にケーシング（９）の中心部には図３にある通り、上部よりスイーベル（８）の中心部のシャフトがケーシングの中心部を通じてハブ（１４）接続されている。
（５）断面図を表す図３及び同拡大図である図４に示す通り、ハブ（１４）には通常水平の４方向に４対のスプレーバー（１５）が接続され、ロックナット（１７）で止めつけられている。この各スプレーバー（１５）はチューブにノズル（１７）がねじ込まれてとりつくようにつくられているもので、これにはノズル（１６）が通常４個づつ取り付けられており、超高圧ホース取付口（１３）内部からスイーベル（８）のシャフト内部を通りハブ（１４）内部を通り、更にスプレーバー（１５）内部を通ってノズル（１６）の噴射のための出口までは内部で通じている。
（６）このロックナット（１７）はその中にスプレーバー（１５）が挿入されてハブ（１４）に止めつけられている。
【作用】
【０００５】（１）ノズル（１６）が付いているスプレーバー（１５）は、そのノズル（１６）から勢いよく噴射される超高圧ウオータージェットの反力により回転するように、ロックナット（１７）により角度をつけて取り付けられるように出来ている。
（２）従って、電磁石（６）が極下地面に非接触の状態で下地鋼板構造物に  近いところに留まっていて、その状態にて超高圧水がノズル（１６）から勢いよく噴射されることにより鋼板構造物面に塗られている塗膜が剥離される。この状態を保ちながら当該塗膜剥離装置がモーター（２）により、チェーンとスプロケット（３）を介し車輪（４）の駆動により当該剥離装置が鋼板構造物の塗装面を移動しながら塗膜を順次剥離することになる。
（３）この間、電磁石（６）の吸着力を維持したままの作用により、当該塗膜剥離は下地面への強い吸引力を保持維持したままになるので、下地面より離れて落下等の事故が起こらずに作業が出来ることになる。
（４）バキュームパッド（１０）はバキューム吸引口（７）から接続された真空圧がケ−シング（９）内部を、バキュームブレーカー（１２）によって適度に真空圧が調整されて満され、大気圧より減圧された真空圧の状態に保つことにより当該鋼板構造物塗膜剥離機を下地面に吸着させる作用を持ち、その作用によって当該鋼板構造物剥離装置が下地から離れるのを防ぐ作用があり、また、同時に、打ったウオータージェットの水と剥離した塗膜を吸引して、通常地面に設置された回収装置に吸引して回収する作用がある。
（５）このように電磁石（６）による下地との間の強い吸引力の作用と、内部が大気圧より低いバキューム状態になっているケーシング（９）とその外側に取り付けられているバキュームパッド（１０）の合わせ作用により当該剥離措置が下地である鋼板構造物表面より離れることなく、塗布されている塗膜を移動しながら剥離することが出来る。
（６）バキュームパッド（１０）の側面についている蛇腹により、このバキュームパッド（１０）が多少上下して内部の真空圧を調整しながら、ケーシング（９）内部の負圧を適度に維持する。
【考案の実施例】
【０００６】図面により、上述の手段、作用にて説明した内容に一部補足して簡単に説明すると、
（１）図１は当該考案の平面図をあらわす。点線であらわしたバキュームパッド（１０）はＸＹ断面である図３に示す通りケーシング（９）の外側にバキュームパッド締め付けバンド（１１）で下地面にすれすれになるようになって多少  上下できるように蛇腹構造を持っている。
（２）スプレーバー（１５）はそれに取り付けられるノズル（１６）の向きの噴射角度を調節ことにより、超高圧ウオータージェットの噴射の反力によりそれに付属しているハブ（１４）、さらにその上部のスイーベル（８）の内部シャフトと一体になり回転する。
（３）供給された超高圧ウオータージェットをノズル（１６）より噴射することで鋼板構造物の塗膜が剥離され、当該剥離装置が移動することにより、順次塗膜が剥離されることになる。
（４）鋼板構造物の壁面及び底面の塗膜を剥離する場合など、バキュームによる吸引力とそれに加え強力な電磁石の吸着力が同時に加わり当該鋼板剥離装置が下地の鋼板から離れて落下とか脱落してずり落ちることが防止される。
（５）電磁石（６）には励磁のための電源が、また、モーター（２）には動力電源が供給され、当該鋼板塗膜剥離装置はオペレーターにより有線または無線にて運転開始、並びに同停止、進行方向、走行速度、方向転換などが操作され、所定のウオータージェットの噴射による反力鋼板構造物の塗膜除去が行われる。
【考案の効果】
【０００７】（１）鋼板構造物の底面及び側面等に塗装された塗膜を除去する際、通常当該塗膜剥離装置の自重、超高圧高圧ジェットの噴射反力の影響で当該装置が下地である鋼板構造物表面より離れ、脱落や、落下する危険があるが、本考案の電磁石付き鋼板の塗膜剥離装置が使用されれば、強力な吸引力が当該鋼板剥離装置と下地面に作用してかかる落下事故等が起こらないで特に底面、側面などの塗膜剥離に効果が大きい。
（２）電磁石（６）は流す電流を変えることにより電磁石の強度を変えることができ、下地に非接触ながら大きな吸着力が得られる。
（３）塗膜が塗られている鋼板構造物の設置されている場所の制約がなく当該剥離装置の運転によって塗膜剥離作業が可能となる。
（４）従来、操業中に突然バキューム装置が停止したような非常時の場合にも、高圧のウオータージェットの噴射の反力による当該剥離装置が下地である剥離面より離れて暴走する事故が防げる。
【図面の簡単な説明】
【０００８】（１）  図１本考案の平面図
（２）  図２は本考案の立面図
（３）  図３は本考案のＸＹ断面図
（４）  同上断面図の一部拡大図
【符号の説明】（１）はベース、（２）はモーター（２台）、（３）はチェーンとスプロックナット（２セット）、（４）は車輪（４個）、（５）は車輪塾受け（４個）、（６）は電磁石（複数個）、（７）はバキューム吸引口、（８）はスイーベル、（９）はケーシング、（１０）はバキュームパッド、（１１）はバキュームパッド締め付けバンド、（１２）はバキュームブレーカー、（１３）は超高圧ホース取り付け口、（１４）はハブ、（１５）はスプレーバー（４対）、（１６）はノズル（複数個）、（１７）はロックナット（４個）、
実用新案登録出願人  株式会社ユアーズ
0003213178.tif 000003
【図３】
0003213178.tif 000004
【図４】
0003213178.tif 000005
【手続補正書】
【提出日】平成29年8月7日(2017.8.7)
【手続補正１】
【補正対象書類名】実用新案登録請求の範囲
【補正対象項目名】全文
【補正方法】変更
【補正の内容】
【実用新案登録請求の範囲】
【請求項１】
ベースの下に電磁石を鋼板構造物塗装面から非接触にて取り付け、前記ベースには、前記塗装面に接して車輪が取り付けられ、前記車輪はモーターと連結されていることを特徴とする電磁石付き塗膜剥離装置
【手続補正２】
【補正対象書類名】明細書
【補正対象項目名】０００８
【補正方法】変更
【補正の内容】
【０００８】
【図１】本考案の平面図
【図２】本考案の立面図
【図３】本考案のＸＹ断面図
【図４】図３の一部拡大図
【手続補正３】
【補正対象書類名】図面
【補正対象項目名】全図
【補正方法】変更
【補正の内容】
【図１】
0003213178.tif 000006
【図２】
0003213178.tif 000007
【図３】
0003213178.tif 000008
【図４】
0003213178.tif 000009